(57)【要約】  フェニルアラニンアンモニアリアーゼ阻害剤を有効成分とする花き用香り抑制剤。切り花の切り口を、フェニルアラニンアンモニアリアーゼ阻害剤の水溶液に浸漬させることによる花きの香り抑制方法。当該方法により香り抑制処理された花き。  本発明によれば、花きの有する芳香族香気成分及びテルペノイドの生合成を阻害して、これら香気成分量を著しく減少させることができることから、時・場所・場合に応じて、花きの香りの強さを簡単に抑制することができる。また、有効成分として使用するフェニルアラニンアンモニアリアーゼ阻害剤は、試薬として市販されており、容易かつ廉価に入手可能である。【特許請求の範囲】
【請求項１】
フェニルアラニンアンモニアリアーゼ阻害剤を有効成分とする花き用香り抑制剤。
【請求項２】
フェニルアラニンアンモニアリアーゼ阻害剤が、アミノオキシ酢酸ヘミ塩酸塩である請求項１記載の花き用香り抑制剤。
【請求項３】
フェニルアラニンアンモニアリアーゼ阻害剤を0.01〜５mM含有する水溶液である請求項１又は２記載の花き用香り抑制剤。
【請求項４】
花きが、ユリ類である請求項１〜３のいずれかに記載の花き用香り抑制剤。
【請求項５】
花きの切り花の切り口を、請求項３記載の花き用香り抑制剤に浸漬させることによる花きの香り抑制方法。
【請求項６】
花きが、ユリ類である請求項５記載の花きの香り抑制方法。
【請求項７】
請求項５又は６記載の方法により香り抑制処理された花き。
【発明の詳細な説明】
【技術分野】
【０００１】
本発明は、花きの香りを簡単に抑制することができる花き用香り抑制剤に関する。
【背景技術】
【０００２】
花きにおいて、「香り」はその重要な品質の一つであり、消費者の購買意欲に多大な影響をもたらす。例えば、ユリ科ユリ属の‘カサブランカ’（ユリ‘カサブランカ’）は、甘く華やかで濃厚な芳香を有し、結婚式や贈り物用の花束などとして好んで用いられる一方で、その香りの濃厚さ故に、飲食店など食事の場では用いられにくい。また、一般家庭では、締め切った狭い室内にカサブランカが一輪でもあると、匂いでむせるようになることから、匂いに敏感な人には不快臭として嫌われる傾向にある。【０００３】
従って、時・場所・場合に応じて、花きの香りの強さを簡単に抑制できる技術が望まれている。また、花きの香り以外の品質、例えば形、大きさ、色などには影響しないことも求められる。【０００４】
植物を対象とし、その匂いを調節する技術としては、例えば、２価アルコール、更には香気成分配糖体を有効成分として含有し、カスミソウ等の植物の不快臭を低減する植物用消臭剤（特許文献１）、チタンと有機酸からなる無機-有機ハイブリッド化合物、又は有機酸及びその金属塩類を主成分とする鮮度保持用又は消臭用組成物（特許文献２）が提案されている。【０００５】
しかし、前者の技術は、カスミソウの不快臭成分であるイソ吉草酸に対する効果が確認されているに留まり、他の不快臭成分に対する効果は不明であるという問題を有している。また後者の技術における消臭の対象は、鮮度保持のためエチレンガスを酸化する際に発生する「ホルムアルデヒド」であって、植物が本来持っている香りとは全く異なるものであった。【０００６】
一方、アミノオキシ酢酸ヘミ塩酸塩（AOA）は、エチレン生合成阻害能を有し、植物鮮度保持剤として知られている（例えば、特許文献３）。しかし、AOAが植物の有する香りに及ぼす影響については、何も知られていない。
【先行技術文献】
【特許文献】
【０００７】
【特許文献１】特開平10-33647号公報
【特許文献２】特開2006-129707号公報
【特許文献３】特開2000-169302号公報
【発明の概要】
【０００８】
本発明は、入手の容易な物質を有効成分とし、花きの有する濃厚な香りを簡便に抑制ないし消臭することができる花き用香り抑制剤を提供することを目的とする。
【０００９】
本発明者は、ユリ‘カサブランカ’の発散する香気成分を分析し、後述の表１に示すような20種前後の化合物を同定した。その結果、主要香気成分としてのリナロール、シス-オシメン、イソオイゲノール等のほか、特徴のある微量成分としてクレゾール、クレオソールが検出され、後者２成分は特に不快臭の原因物質と考えられた。これら不快臭の原因物質を含む芳香族香気成分は、シキミ酸、フェニルアラニン、ケイ皮酸等を経由して生合成されることから、本発明者は、この間の生合成を阻害する物質を利用して、その生成を抑制することを発想した。そして更に、そのような生合成阻害剤の一つであるフェニルアラニンアンモニアリアーゼ阻害剤によって、芳香族香気成分のみならずテルペノイド香気成分も生合成が阻害され、これによって香気成分量を著しく減少させることができることを確認し、本発明を完成した。
【００１０】
本発明は、フェニルアラニンアンモニアリアーゼ阻害剤を有効成分とする花き用香り抑制剤を提供するものである。
【００１１】
更に本発明は、切り花の切り口を、フェニルアラニンアンモニアリアーゼ阻害剤を0.01〜５mM含有する水溶液に浸漬させることによる花きの香り抑制方法を提供するものである。
【００１２】
さらに本発明は、上記方法により香り抑制処理された花きを提供するものである。
【００１３】
本発明によれば、花きの有する芳香族香気成分及びテルペノイドの生合成を阻害して、これら香気成分量を著しく減少させることができることから、時・場所・場合に応じて、花きの香りの強さを簡単に抑制することができる。また、有効成分として使用するフェニルアラニンアンモニアリアーゼ阻害剤は、試薬として市販されており、容易かつ廉価に入手可能である。
【発明を実施するための形態】
【００１４】
本発明において有効成分として使用するフェニルアラニンアンモニアリアーゼ阻害剤としては、アミノオキシ酢酸ヘミ塩酸塩（AOA）、2-アミノオキシ-3-フェニルプロピオン酸（AOPP）等が挙げられる。これらの化合物は、単独で又は２種以上を組み合わせて使用することができる。
【００１５】
本発明の花き用香り抑制剤の使用濃度は、対象となる花きの種類や処理時間により異なるが、水溶液として用いる場合は、一般的にフェニルアラニンアンモニアリアーゼ阻害剤の濃度として0.01〜５mM、更には0.05〜1.5mM、特に0.1〜１mMの範囲が好ましい。
【００１６】
本発明の花き用香り抑制剤には、フェニルアラニンアンモニアリアーゼ阻害剤のほかに、イソ吉草酸に消臭効果を有するエチレングリコール、プロピレングリコール、1,4-ブタンジオール等の２価アルコール（特許文献１）など、芳香族香気成分やテルペノイド香気成分以外の香気成分を抑制できる化合物を併用することもできる。
【００１７】
更に本発明の花き用香り抑制剤には、必要に応じて、クリザール（ポコン＆クリザール・ジャパン社製）、アルゴフラッシュ切り花延命剤（アルパティオ社製）、コートーフレッシュ（甲東社製）等の公知の切り花延命剤；アルキルベンゼンスルホン酸塩、ポリオキシエチレンアルキル硫酸塩、スルホコハク酸塩、アミノ酸系アニオン界面活性剤等のアニオン界面活性剤、ポリオキシエチレンアルキルエーテル、ソルビタン脂肪酸エステル、アルキルポリグリコシド、脂肪酸グリコシドエステルケファリン等の非イオン界面活性剤、レシチン、フォスファチジン酸等のリン脂質、ソフォロリピッド等のグリコリピドなどの界面活性剤；窒素、リン酸、カリウム、シュークロース、ビタミンＣ等の栄養源；鉄、亜鉛、マンガン、銅、ほう素等の微量栄養素分；オーキシン、サイトカイニン、ジベレリン、アブシジン酸、ブラシノリド等の植物ホルモンなどを含有させることもできる。
【００１８】
本発明の花き用香り抑制剤は、芳香族香気成分やテルペノイド香気成分を有する花きに対して広く使用することができ、特に、ユリ科ユリ属、特に‘カサブランカ’、‘ソルボンヌ’等のオリエンタルハイブリッド、‘イエローウィン’等のOTハイブリッド（オリエンタルとトランペットとの交雑種）、テッポウユリなどの香りの強いユリ類のほか、ストック等、その臭いが嫌われる場合がある花きの香り抑制に好適に使用することができる。ここでいう花きとしては、切り花を指す。
【００１９】
これらの花きに対する香り抑制処理は、より優れた香り抑制効果を得る観点から、花きが、開花前のつぼみの段階で行うことが好ましい。
【００２０】
本発明の花き用香り抑制剤によって花きの香りを抑制するには、切り花の切り口を本発明の花き用香り抑制剤に浸漬して吸収させればよい。これにより、切り口から本発明の花き用香り抑制剤が花きに吸収され、芳香族香気成分やテルペノイド香気成分の生合成を阻害することで、不快臭を抑制することができる。
【実施例】
【００２１】
実施例１  カサブランカ（オリエンタル・ハイブリット）に対するAOAの香り抑制効果
本発明者らは、ユリ‘カサブランカ’の開花後１日目における発散する香気成分を以下のように分析した。花（つぼみ）を４〜５輪付けたユリ‘カサブランカ’を蒸留水に浸し、23℃一定、12時間日長（８時〜20時明／20時〜８時暗）のインキュベーター中に置いた。開花後１日経った花の部分のみを、出入り口のある３Ｌのテドラーパックで密封し、入り口から活性炭で浄化した無臭空気を入れながら出口のテナックスカラムに10時〜11時の１時間分の香気成分を採取した。香気成分は加熱脱着装置（Gerstel）を用いてGC-MS（GC: Agilent 6890N, MS: Agilent 5973N）に導入し、分析を行った。その結果、表１に示す20種の化合物を同定した。【００２２】
【表１】
2010061502.tif 000002
【００２３】
次いで、アミノオキシ酢酸ヘミ塩酸塩（AOA）の0.1mM水溶液及び１mM水溶液を調製し、精製水をコントロールとして、これらにユリ‘カサブランカ’の切り花（つぼみ）を生け、そのまま24時間放置した。24時間後における香りの変化を観察すると共に、香気成分を分析した。各香気成分について、コントロールの値を１としたときの24時間後の割合を表２に示す。【００２４】
【表２】
2010061502.tif 000003
【００２５】
その結果、24時間後には投与区（0.1mM水溶液及び１mM水溶液）はほとんど香らなくなり、発散香気成分量はコントロールに比べ著しく減少した。また、高濃度区（１mM水溶液）では花の開き方がコントロールと比較して若干小さめであったが、低濃度区（0.1mM水溶液）は、花の形態等はコントロールと変わりなかった。【００２６】
実施例２  ソルボンヌ（オリエンタル・ハイブリッド）に対するAOAの香り抑制効果
ユリ‘ソルボンヌ’の開花後１日目における発散香気成分を以下のように分析した。花（つぼみ）を３−４輪付けたソルボンヌを蒸留水に浸し、23℃一定、12時間日長（８〜20時明／20〜８時暗）のインキュベータ中に置いた。開花後１日経った花の部分のみを、出入り口のある３Ｌのテドラーパックで密封し、入り口から活性炭で浄化した無臭空気を入れながら出口のテナックスカラムに10〜11時の１時間分の香気成分を採取した。香気成分の分析方法はカサブランカと同様である。その結果、表３に示す19種の化合物を同定した。【００２７】
【表３】
2010061502.tif 000004
【００２８】
次に、AOAの0.1mM、１mM水溶液を調製し、精製水をコントロールとしてこれらにつぼみのソルボンヌ切り花を生け、そのまま24時間放置した。24時間後における香りの変化を観察するとともに、香気成分を分析した。各香気成分について、24時間後の割合を表４に示す。その結果、24時間後には投与区はほとんど香らなくなり、発散香気成分量はコントロールに比べ著しく減少した。また、高濃度区ではピンクの花の色がコントロールと比較して薄くなったが、低濃度区では花の色、形態等はコントロールと変わりなかった。【００２９】
【表４】
2010061502.tif 000005
【００３０】
実施例３  イエローウィン（OTハイブリッド）に対するAOAの香り抑制効果
イエローウィンの花の発散香気成分の分析については、香りの強くなる開花後２日目の花を用いた。花（つぼみ）を３〜４輪付けたイエローウィンを蒸留水に浸し、23℃一定、12時間日長（８〜20時明／20〜８時暗）のインキュベータ中に置いた。開花後２日経った花の部分のみを出入り口のある３Ｌのテドラーパックで密封し、入り口から活性炭で浄化した無臭空気を入れながら出口のテナックスカラムに10〜11時の１時間分の香気成分を採取した。分析方法はカサブランカと同様である。その結果、表５に示す20種の化合物を同定した。【００３１】
【表５】
2010061502.tif 000006
【００３２】
次に、AOAの0.1mM水溶液を調製し、精製水をコントロールとしてこれにつぼみのイエローウィン切り花を生け、そのまま48時間放置した。48時間後における香りの変化を観察するとともに、香気成分を分析した。各香気成分について、コントロールの値を１としたときの48時間後の割合を表６に示す。その結果、48時間後には投与区は香りが弱くなり、発散香気成分量はコントロールに比べ半分程度となった。AOAの濃度を上げると、下葉が黄色くなる傾向が見られた。【００３３】
【表６】
2010061502.tif 000007
【００３４】
実施例４  テッポウユリに対するAOAの香り抑制効果
テッポウユリの花の発散香気成分の分析については、香りの強くなる開花後３日目の花を用いた。花（つぼみ）を２〜３輪付けたテッポウユリを蒸留水に浸し、23℃一定、12時間日長（８〜20時明／20〜８時暗）のインキュベータ中に置いた。開花後３日経った花の部分のみを出入り口のある３Ｌのテドラーパックで密封し、入り口から活性炭で浄化した無臭空気を入れながら出口のテナックスカラムに10〜11時の１時間分の香気成分を採取した。分析方法はカサブランカと同様である。その結果、表７に示す10種の化合物を同定した。【００３５】
【表７】
2010061502.tif 000008
【００３６】
次に、AOAの0.3mM水溶液を調製し、精製水をコントロールとしてこれにつぼみのテッポウユリを生け、そのまま72時間放置した。72時間後における香りの変化を観察するとともに、香気成分を分析した。各香気成分について、コントロールの値を１としたときの72時間後の割合を表８に示す。その結果、72時間後には投与区は香りはかなり弱くなり、発散香気成分量はコントロールと比較して５分の１程度となった。投与区は、投与後１週間あたりから、下葉が黄色くなる傾向が見られた。【００３７】
【表８】
2010061502.tif 000009
【００３８】
実施例５  カサブランカに対するAOPPの香り抑制効果
AOPP（2-アミノオキシ-3-フェニルプロピオン酸）の0.1mM水溶液及び１mM水溶液を調製し、精製水をコントロールとしてこれらにつぼみのカサブランカ切り花を生け、そのまま24時間放置した。24時間後における香りの変化を観察するとともに、香気成分を分析した。各香気成分について、24時間後の割合を表９に示す。その結果、24時間後には投与区はほとんど香らなくなり、発散香気成分量はコントロールに比べ著しく減少した。【００３９】
【表９】
2010061502.tif 000010
【国際調査報告】
2010061502.tif 000011
2010061502.tif 000012
2010061502.tif 000013
2010061502.tif 000014